(57)【要約】  【課題】  手指による人体の肌筋膜に対するもみ動作を真似することができる按摩器を提供する。  【解決手段】  手持ちができる本体１０上にころ２０を装置し、該ころ２０に多数個の突き柱２２を排列して、その突き柱２２の末端の円弧状で使用者の肌の表面を押し接触して、皮膚の下層にある肌筋膜に対して手指で肌をすりもみの動作に類似した効果を達成させて、人々の腰痛等の病症を予防することができる。【選択図】図１
0003117117.tif 000002
【実用新案登録請求の範囲】
【請求項１】
本体と、ころ、と駆動装置と突き上げ部とを有する肌筋膜按摩器であって、
前記本体は、該本体の中に空室が設けられており、
前記ころは、該本体の空室の中にあって、該ころは若干個の抛物線状に配設された突き柱を有し、該突き柱の末端は使用者の肌に圧接することができ、
該駆動装置は、本体の空室の中に設けられていて、該ころを駆動して回転させることができ、
該突き上げ部は、該ころの回転方向の前側に設置され、且つ、該ころの側辺に隣接して設けられており、
上記のユニットの組合せによって、該突き上げ部及びころの突き柱は使用者の肌に接触することができ、並びに使用者の肌の表面の局部に対して施圧し、且つ、該ころの回転によって突き柱に肌を該突き上げ部の方向に向けて押す動作を生じさせ、該突き上げ部の押圧効果を加えて手指で人体の肌をすりもみ動作に似た動作を生ぜさせることができ、これによって人体の肌筋膜に対してすりもみ動作の効果を発生させることができるように構成されたことを特徴とする肌筋膜按摩器。
【請求項２】
上記ころの突き柱の末端は円弧状に形成されていることを特徴とした請求項１記載の肌筋膜按摩器。
【請求項３】
上記駆動装置は、シンクロモーターであることを特徴とする請求項１記載の肌筋膜按摩器。
【請求項４】
上記駆動装置は、二台の対称して配置したシンクロモーターで組合わせて構成してなることを特徴とする請求項１記載の肌筋膜按摩器。
【請求項５】
上記駆動装置は少なくとも一台の駆動モータ及び一台の減速ギヤセットで構成してなることを特徴とする請求項１記載の肌筋膜按摩器。
【請求項６】
上記本体は、人体の表面に貼り近づけることができる接触面があって、上記のころ及び突き上げ部は該本体の該貼り近づけ面の一側に取り付けされて、且つ、該ころの突き柱は、部分的に該貼り近づけ面の外側に突き出していることを特徴とする請求項１記載の肌筋膜按摩器。
【請求項７】
上記突き上げ部は、受台の上に設けられていて、且つ、該受台は取り外しができるように該本体の貼り近づけ面に装置されていることを特徴とした請求項６記載の肌筋膜按摩器。
【請求項８】
上記肌筋膜按摩器は圧棒を含み、該圧棒で使用者の肌の表面の衣服を固く押さえることができるように構成されたことを特徴とする請求項１記載の肌筋膜按摩器。
【請求項９】
上記の圧棒は、緩衝設備を連設したことを特徴とする請求項８記載の肌筋膜按摩器。
【請求項１０】
上記緩衝設備はバネ板及び回転軸で組成されており、該バネ板は定位端があって、本体の内部に枢設されており、更に被動端を有し、該被動端は回転軸と連設することができ、該回転軸の両側には小径端があって、本体を差し出して個別に圧棒の二つの末端と連設することができ、中段はバネ板の被動端に連設することができ、これで圧棒が力を受けた時では回転軸を動かし、バネ板を動かし、これによって緩衝の効果を達成さすことを特徴とする請求項９記載の肌筋膜按摩器。
【考案の詳細な説明】
【技術分野】
【０００１】
本考案は、肌筋膜按摩器に関し、特に人の手指のもみ動作を真似て人体の肌筋膜に対してもみ動作することができるように構成された肌筋膜按摩器に関する。
【背景技術】
【０００２】
人体の肌筋膜は、人体の皮膚と肌肉の間に介在していて靱帯が肌肉を包む延伸組織である。現代の緊張と運動不足によって常に腰痛或いは首部の痛み、或いは偏頭痛等の病症を発生する。この病症は往々に人体の肌筋膜の発炎或いは肌筋膜の緊張によってなるものである。そして、肌筋膜の痛みが患者の背痛、腰痛、或いは偏頭痛等の症状になった時では、又、往々にその他の原因によって生じたと誤認される。但し、実際上で若しも日常にて肌筋膜に対して適切なる按摩を行えば、予防の効果を発揮することができて有効に肌筋膜の痛み或いは発炎によって生じた腰、背の痛み等の病症を和らげることができる。
【０００３】
この外に肌筋膜は靱帯組織の延伸組織であって、靱帯は骨骼及び関節の部所に付着しているので、この多数の肌筋膜は物理的の圧迫を受けて生じた痛みは往々に骨骼或いは関節の病痛と誤認されている。例えば骨刺増生、椎間盤変形、関節炎等の各種の病痛等である。
【０００４】
上記の各種の病症は現代人の有する病症であって、これは推掌の方式で有効に予防或いは上記の病症の発生を解消することができる。そして、現代人は生活が緊張で忙しく、又、運動不足で推掌或いは按摩によって体の緊張の圧力を解消することは相当大きい効果がある。然し、時間の制限によって専業の按摩師或いは推掌師にたのんで按摩をすることができないので、按摩器を用いざるを得ない。
【０００５】
肌筋膜は肌肉表面の組織に属するので、必ずもみ等の方式で肌肉の表層組織に対して推掌を行い、これによって肌筋膜の按摩の効果を達成させることができる。但し、現在市場にある按摩器の多くは震動を利用して、局部の圧力変化等の方式で人体の肌肉に対して按摩を進行しているので、肌筋膜に按摩する効果を達することができない。
【考案の開示】
【考案が解決しようとする課題】
【０００６】
上記従来例の按摩器の多くは震動を利用し、局部圧力変化等の方式で人体の肌肉に対して按摩を進めているので、肌筋膜を按摩する効果を達成することができない欠陥がある。そこで、この欠陥に鑑み之を解消することが本考案の目的である。
【課題を解決するための手段】
【０００７】
本考案は上記目的を達成するために提案されたものであり、本体と、ころ、と駆動装置と突き上げ部とを有する肌筋膜按摩器であって、前記本体は、該本体の中に空室が設けられており、前記ころは、該本体の空室の中にあって、該ころは若干個の抛物線状に配設された突き柱を有し、該突き柱の末端は使用者の肌に圧接することができ、該駆動装置は、本体の空室の中に設けられていて、該ころを駆動して回転させることができ、該突き上げ部は、該ころの回転方向の前側に設置され、且つ、該ころの側辺に隣接して設けられており、上記のユニットの組合せによって、該突き上げ部及びころの突き柱は使用者の肌に接触することができ、並びに使用者の肌の表面の局部に対して施圧し、且つ、該ころの回転によって突き柱に肌を該突き上げ部の方向に向けて押す動作を生じさせ、該突き上げ部の押圧効果を加えて手指で人体の肌をすりもみ動作に似た動作を生ぜさせることができ、これによって人体の肌筋膜に対してすりもみ動作の効果を発生させることができるように構成されたことを特徴とする肌筋膜按摩器を提供するものである。
【考案の効果】
【０００８】
上記で説明したように、本考案は手指による人体の肌筋膜に対してもみ動作を真似ることができる按摩器を提供し、人体の皮膚の下層の肌筋膜を按摩する効果を達成することができる。
【考案を実施するための最良の形態】
【０００９】
本考案は手指による人体の肌筋膜に対するもみ動作を真似することができる按摩器を提供すると云う目的を、手持ちができる本体上にころを装置し、該ころに多数個の突き柱を排列して、その突き柱の末端の円弧状で使用者の肌の表面を押し接触して、皮膚の下層にある肌筋膜に対して手指で肌をすりもみの動作に類似した効果を達成させるように構成したことにより達成した。
【実施例】
【００１０】
以下、本考案の好適な実施例を図を参照して説明する。
【００１１】
図１及び２において、本考案の肌筋膜按摩器は本体１０と、ころ２０と、駆動装置３０及び受台４０並びに突き上げ部５０及び圧棒６０から成る。
【００１２】
本体１０は中空殻体であって、該本体１０は使用者が片手で握持できる大きさに設計されていて、且つ、その外形は円弧形状に形成されて使用者の握持を容易にしている。該本体１０の内部は、空室１１があって、その一側面には貼り近づけ面１２があり、且つ、該貼り近づけ面１２に狭くて長い開口１３が設置されている。
【００１３】
又、前記本体１０は左殻体１４、右殻体１６及び上殻体１８（図１１に図示）で構成し、その中の左右殻体１４，１６は個別に相応した掛け釦及び開口（図示せず）が設けられており、更に、夫々長形孔１５，１７を有する。又、上殻体１８の内側には長方形突出１９が設けていて、左右殻体１４，１６上の長形孔１５，１７に合接して本体１０を構成する。
【００１４】
ころ２０は該空室１１の内部に設けられていて、該ころ２０は軸心孔２１を有し、該軸心孔２１を中心にして抛物線状に排列した突き柱２２が設けられている。更に、図１に示すように、該突き柱２２は少なくともその一部分は該本体１０の開口１３から前記貼り近づけ面１２の外側に突出している。そこで、図３〜図５に示すように、使用者が本体１０の貼り近づけ面１２を人体の表面に貼り近づけた時では、該突き柱２２は該貼り近づけ面１２の部分に突出して人体の肌を接触することができる。
【００１５】
駆動装置３０は該空室１１の内部にあって、且つ、その心軸３１と該ころ２０の軸心孔２１は連接しているので、該ころ２０を駆動して回転させることができる。
【００１６】
図２に示すように、駆動装置３０は前記ころ２０の両側に対峙して設置されたシンクロモーターで構成されているが、該駆動装置３０は一台の電動モーター及び一セットの減速ギヤセットで代替することもできる。ころ２０の軸心孔２１は、該駆動装置３０の心軸３１に連接されているので、これによって駆動を受けて所定の速度で回転することができる。上記で説明した実施例の駆動装置３０の構造は、左右の殻体１４，１６のモーターに設けられている。
【００１７】
図１に示す駆動装置３０は、外接の電力を利用して動力源にしたものであるので、その上には一本の該本体１０の外側に延伸した電源線３２があって、電力のプラグ或いはその他の外部の電力供給装置と連接するのに用いる。実施例では電源線３２もスイッチ３３及び調速調節器３４を配設して、使用者の便宜に供している。
【００１８】
該本体１０の貼り近づけ面１２は受台４０が設置されていて、該受台４０の前記ころ２０の回転方向の前側位置に突き上げ部５０が設けられている。該突き上げ部５０は該ころ２０の突き柱２２と互いに作用することができ、これによって、該ころ２０に手指ですりもみする効果に似た動作を生じることができる。図３〜５に示すように使用者が該本体１０の貼り近づけ面１２を人体の表面に該貼り近づけ面１２を突きあてた時、前記突き上げ部５０は人体の肌の局部を下に向けて押すことができる。そして、この時、該ころ２０の突き柱２２の該貼り近づけ面１２に突出した部分も人体の肌を施圧する。
【００１９】
図４〜５に示すように、ころ２０が回転した時では、突き柱２２は人体の肌を前記突き上げ部５０の方向に向けて施圧する動作を生じさせることができる。そして、該突き柱２２の押し動作で突き上げ部５０の作用と相俟って手指で皮膚をすりもみするような動作を生じ、又、リラックスする効果を得ることができる。これによって人体の肌筋膜の按摩推掌する効果を達する。
【００２０】
該ころ２０の突き柱２２の末端は円弧状に形成されていて、人体の肌の表面に接触した時に圧迫力を生じることができる。且つ、その末端は貼り近づけ面１２の表面から押し込められて人体の肌筋膜の深さに貼り近づかせて、ころ２０を肌筋膜に対してすりもみと推掌する効果を奏することができるように構成されている。尚、実験で得た結果では、突き柱２２が突き上げ部５０の水平中心線（半分の高さ）よりも低いと有効に干渉の問題を解決することができる。
【００２１】
該突き上げ部５０の突き出し長さが若しも人体の肌筋膜の深さと符号することができれば、最適の按摩効果を達することができる。該突き上げ部５０は取り外しができる受台４０の上にあるので、このために使用者は簡単に該突き上げ部５０と受台４０を取り替えることができる。
【００２２】
図１〜５に示すように、該貼り近づけ面１２には複数の長形孔１２１が設けており、受台４０の下部には釦金具４１が設けられている。該釦金具４１は長形孔１２１を釦合接することができ、使用中、該受台４０が緩んで落ちるようなことがないように構成されている。
【００２３】
図６〜７に示すように、本考案は違った高さの突き上げ部５０ａ，５０ｂ及び受台４０ａ，４０ｂに設けられており、使用者の需要に応じて使用を変えることができる。実際の使用時では、該突き上げ部５０も交換ができない構造の設計にすることができて、直接に本体１０の上に固定して設置することができる。
【００２４】
図８〜１０は本考案の他の実施例を示す。該本体１０には圧棒６０が付き加えている。該圧棒６０は細長い棒体を曲げたもので、且つ、やや逆凵字形に形成されている。該圧棒６０の両末端は本体１０の両端に設けていて、その前端はやや逆凵字形になっていて、且つ傾斜に底面１２の後側に架設されている。該圧棒６０は按摩したい部位上の衣服を平たくととのえることができるので、衣服を平らにし且つ体の皮膚の表面に貼り付けされて衣服が干渉を生じる現象を防止することができる。
【００２５】
図９〜図１１に圧棒６０の効果を強化したものが図示されている。該圧棒６０は、緩衝設備７０を連設することができる。該緩衝設備７０はバネ板７１と回転軸７２を含む。該バネ板７１は定位端７３があって、本体１０の内部に枢設されており、更に、被動端７５を有し、該被動端７５はその上に凸部７７が設けている。該回転軸７２の両側には小径端７４があって、本体１０の左右殻体１４，１６を差し出して圧棒６０の二つの末端６１と連設することができる。又、中段には凹み槽７６が設けられていて、バネ板７１の被動端７５の凸部７７にはめ込むことができる。圧棒６０が力を受けた時では、回転軸７２を動かし、進んでバネ板７１を動かし、これによって緩衝効果を達成させる。
【００２６】
尚、本考案は、本考案の精神を逸脱しない限り種々の改変を為すことができ、そして、本考案が該改変されたものに及ぶことは当然である。
【図面の簡単な説明】
【００２７】
【図１】本考案の立体図。
【図２】本考案の分解図。
【図３】本考案の連続動作の示意図。
【図４】本考案の連続動作の示意図。
【図５】本考案の連続動作の示意図。
【図６】違った高さの突き上げ部及び受台を示す示意図。
【図７】違った高さの突き上げ部及び受台を示す示意図。
【図８】本考案の実施例の立体図。
【図９】本考案の別の実施例の分解図。
【図１０】本考案の別の実施例の動作示意図。
【図１１】図８の部分の組立部品を取り除いた後に見た圧棒の組立示意図。
【符号の説明】
【００２８】
１０          本体
１１          空室
１２          貼り近づけ面
１３          開口
１４          左殻体
１５，１７，１２１  長形孔
１６          右殻体
１８          上殻体
１９          長形凸部
２０          ころ
２１          軸心孔
２２          突き柱
３０          駆動装置
３１          心軸
３２          電源線
３３          スイッチ
３４          調速設備
４０，４０ａ，４０ｂ    受台
４１          釦金具
５０，５０ａ，５０ｂ    突き上げ部
６０          圧棒
６１          末端
７０          緩衝設備
７１          バネ板
７２          回転軸
７３          定位端
７４          小径端
７５          被動端
７６          凹み槽
７７          凸部
【図１】
0003117117.tif 000003
【図２】
0003117117.tif 000004
【図３】
0003117117.tif 000005
【図４】
0003117117.tif 000006
【図５】
0003117117.tif 000007
【図６】
0003117117.tif 000008
【図７】
0003117117.tif 000009
【図８】
0003117117.tif 000010
【図９】
0003117117.tif 000011
【図１０】
0003117117.tif 000012
【図１１】
0003117117.tif 000013